(57)【要約】【課題】  アラームがセットされたか否かを容易に判別することができ、文字板を照明するための光源からの光を利用して液晶表示を容易に確認することができ、部品点数を少なくし、コストを低減することができる時計を提供する。【解決手段】  時刻を表示する指針を支持する指針軸を有するムーブメント、及び、その中心において背面側に配置したムーブメントから指針軸が貫通配置される略円盤状の文字板を備えたアナログ時刻表示部と、少なくともアラーム時刻をデジタル表示する液晶表示部と、アラームの設定及び非設定を選択可能とするアラームセットスイッチと、アラーム音の発音を停止するスヌーズスイッチと、を備え、文字板の側面には複数の光源が近接配置され、文字板の表面には液晶表示部に対応する位置に内方に凹んだ表示枠部が設けられている。【選択図】  図２
2005091102.tif 000002
【特許請求の範囲】
【請求項１】
時刻を表示する指針を支持する指針軸を有するムーブメント、及び、その中心部において背面側に配置した前記ムーブメントから前記指針軸が貫通配置される文字板を備えたアナログ時刻表示部と、
少なくともアラーム時刻をデジタル表示する液晶表示部と、
アラームの設定及び非設定を選択可能とするアラームセットスイッチと、
アラーム音の発音を停止するスヌーズスイッチと、を備え、
前記文字板の側面には複数の光源が近接配置され、
前記文字板の表面には前記液晶表示部に対応する位置に内方に凹んだ表示枠部が設けられたことを特徴とする時計。
【請求項２】
指針軸を有するムーブメントと、
その中心において、背面側に配置した前記ムーブメントから前記指針軸が貫通配置される文字板と、
前記文字板の側面に近接配置される複数の光源と、
前記文字板の背面側に配置される液晶表示部と、を備え、
前記文字板の表面には前記液晶表示部に対応する位置に内方に凹んだ表示枠部が設けられていることを特徴とする時計。
【請求項３】
前記表示枠部は略矩形状である請求項１又は２記載の時計。
【請求項４】
前記表示枠部は、その底面が前記文字板の表面から背面へ向かうにつれて前記文字板の中心へ近づくような湾曲形状を備える請求項１〜３のいずれか１項記載の時計。
【請求項５】
前記表示枠部は、その底面が前記文字板の表面から背面へ向かうにつれて前記文字板の中心へ近づくような傾斜面を含む請求項１〜３のいずれか１項記載の時計。
【請求項６】
前記光源は、前記底面側から前記表示枠部に入射するように配置された第１光源を有する請求項４または請求項５記載の時計。
【請求項７】
前記光源は、前記底面側から前記表示枠部に入射するように配置された第１光源と、前記底面を含まない前記文字板の部分に入射するように配置されている第２光源と、を有する請求項４または請求項５記載の時計。
【請求項８】
前記光源は、前記底面側から前記表示枠部に入射するような位置及びこの位置と前記文字板の中心に対して対称な位置に配置された第１光源と、前記底面を含まない前記文字板の部分に入射するように配置されている第２光源と、を有する請求項４または請求項５記載の時計。
【請求項９】
前記第１光源は、前記アラームセットスイッチがアラーム設定状態であって前記スヌーズスイッチがオン状態とされたときに点灯し、前記アラームセットスイッチがアラーム非設定状態であって前記スヌーズスイッチがオン状態とされたときには点灯しない請求項７又は請求項８記載の時計。
【請求項１０】
前記表示枠部は前記文字板の中心と６時の位置の間に配置され、前記第１光源は前記文字板の４時から８時の位置の側面に近接配置される光源を含む請求項７〜９のいずれか１項記載の時計。
【請求項１１】
前記表示枠部は前記文字板の中心と６時の位置の間に配置され、前記第１光源は前記文字板の４時から８時の位置の側面に近接配置される光源を含み、前記第２の光源は前記文字板の１２時から４時の位置の側面に近接配置され、前記第２の光源は前記アラームセットスイッチがアラーム非設定状態で、前記スヌーズスイッチがオン状態のときに点灯する請求項７〜９のいずれか１項記載の時計。
【発明の詳細な説明】
【技術分野】
【０００１】
本発明は発光機能を備える時計に関し、特にアラームがセットされているか否かの判別が可能な時計に関する。
【背景技術】
【０００２】
従来の目覚まし機能を有する時計には、スヌーズスイッチを押すことによって発光色の異なる二つのＬＥＤのいずれか一方が点灯するものがあった。この時計においては、アラームがセットされているか否かによって、点灯するＬＥＤが切り替えられ、発光色によってアラームセットスイッチの状態を判断するものであった。
【特許文献１】特開２００１−０３３５７０号公報
【発明の開示】
【発明が解決しようとする課題】
【０００３】
しかしながら、発光色によってアラームセットスイッチの状態を確認できるものの、着色されていることにより照明光が暗くなるため現在時刻やアラーム設定時刻を確認することが容易ではなかった。これは、アラーム設定時刻を液晶表示部に表示させるタイプの時計においては顕著であり、着色されたＬＥＤからの照明光によって液晶表示を視認するのは困難であった。
【課題を解決するための手段】
【０００４】
上記問題点を解決するために、本発明の時計においては、時刻を表示する指針を支持する指針軸を有するムーブメント、及び、その中心において背面側に配置したムーブメントから指針軸が貫通配置される略円盤状の文字板を備えたアナログ時刻表示部と、少なくともアラーム時刻をデジタル表示する液晶表示部と、アラームの設定及び非設定を選択可能とするアラームセットスイッチと、アラーム音の発音を停止するスヌーズスイッチと、を備え、文字板の側面には複数の光源が近接配置され、文字板の表面には液晶表示部に対応する位置に内方に凹んだ表示枠部が設けられたことを特徴としている。
【０００５】
本発明の時計は、指針軸を有するムーブメントと、その中心において、背面側に配置したムーブメントから指針軸が貫通配置される文字板と、文字板の側面に近接配置される複数の光源と、文字板の背面側に配置される液晶表示部と、を備え、文字板の表面には液晶表示部に対応する位置に内方に凹んだ表示枠部が設けられていることを特徴としている。
【０００６】
表示枠部は略矩形状とすることができ、その底面が文字板の表面から背面へ向かうにつれて文字板の中心へ近づくような湾曲形状を備えることが好ましい。
【０００７】
表示枠部は、その底面が文字板の表面から背面へ向かうにつれて文字板の中心へ近づくような傾斜面を含むことが好ましい。
【０００８】
光源は、底面側から表示枠部に入射するように配置されていることが好ましい。
【０００９】
光源は、底面側から表示枠部に入射するように配置された第１光源と、底面を含まない文字板の部分に入射するように配置されている第２光源と、を有することが好ましい。
【００１０】
光源は、底面側から表示枠部に入射するような位置、及び、この位置と文字板の中心に対して対称な位置、に配置された第１光源と、底面を含まない文字板の部分に入射するように配置されている第２光源と、から構成することもできる。
【００１１】
第１光源は、アラームセットスイッチがアラーム設定状態であってスヌーズスイッチがオン状態とされたときに点灯し、アラームセットスイッチがアラーム非設定状態であってスヌーズスイッチがオン状態とされたときには点灯しないことが好ましい。
【００１２】
表示枠部は文字板の中心と６時の位置の間に配置され、第１光源は文字板の４時から８時の位置の側面に近接配置される光源を含むことが好ましい。
【００１３】
表示枠部は文字板の中心と６時の位置の間に配置され、第１光源は文字板の４時から８時の位置の側面に近接配置される光源を含み、第２の光源は文字板の１２時から４時の位置の側面に近接配置され、第２の光源はアラームセットスイッチがアラーム非設定状態で、スヌーズスイッチがオン状態のときに点灯することが好ましい。
【発明の効果】
【００１４】
本発明によると、アラームセットスイッチがオン状態の場合にスヌーズスイッチをオン状態とすると、文字板を照明するための光源からの光を利用して液晶表示部の下部が発光し、同表示部が照明されるため、アラームがセットされたことを容易に確認することができるとともに、アラーム設定時刻を容易に読み取ることができる。さらに、液晶表示専用の光源が不要であるため、部品点数を少なくし、コストを低減することができる。さらに、スヌーズスイッチをオン状態として液晶表示部を発光させ照明することができるため、日中であっても液晶表示部の表示を容易に確認することができる。
【発明を実施するための最良の形態】
【００１５】
以下、本発明を置時計に適用した実施形態について図１〜図６を参照しつつ説明する。
【００１６】
図１に示す置時計１０は、同図において左側（前方側又は前面側）に配置されたフロントケース１１と、右側（後方側又は背面側）に配置されたリアケース１２とを互いに嵌合してなる筐体１３を備えている。このフロントケース１１の前面には合成樹脂製のカバー１６が嵌合装着されている。
【００１７】
フロントケース１１の内部には、背面にムーブメント２０及び液晶表示部２３をねじ止め固定し、前面に略円盤状の文字板３０を装着する円盤形状の固定板１４が係着されている。固定板１４は、後方側へ向けて折り曲げられたフロントケース１１の先端部１１ａに文字板３０を押し当てた状態で、反射板１５を介して文字板３０と同心状にしてフロントケース１１に取り付ける。固定板１４及び文字板３０の中心には、それぞれ、貫通孔１４ａ及び貫通孔３０ａが設けられており、固定板１４と文字板３０がフロントケース１１内に装着されると、貫通孔１４ａ及び貫通孔３０ａにより貫通孔が構成される。
【００１８】
ムーブメント２０は、固定板１４に取り付けたときに貫通孔１４ａ及び貫通孔３０ａを貫通して前方に延びる指針軸２１を備え、この指針軸２１の前端部には時針、分針、秒針からなる指針２２が回転可能に支持される。
【００１９】
置時計１０の上部には、フロントケース１１とリアケース１２とに挟まれて上下方向に移動可能なスヌーズスイッチ２４が設けられている。このスヌーズスイッチ２４は、使用者が下向き（置時計１０の内部へ向かう方向）に押し下げるとオン状態となり、使用者が手を離すと内部に配置したバネ２４ａと置時計１０内部の当接面２６の間に働く弾性力により初期の位置にもどりオフ状態となる。
【００２０】
置時計１０の背面には、アラームセットスイッチ２５が置時計１０の内部からリアケース１２を貫通して外部へ突出し、かつ、上下に移動可能に配置されている。アラームセットスイッチ２５は使用者が操作することにより上下２カ所の位置をとることができ、上の位置にあるときはアラームセットスイッチ２５はオン状態（アラーム設定状態）であり、下の位置にあるときはオフ状態（アラーム非設定状態）である。
【００２１】
文字板３０は成型によって形成された板状の透明な合成樹脂であって、図２、図３に示すように、略円盤状の本体部３１の外周３１ａにおいて、文字板３０の中心Ｏについて対称な１２時（最上部）と６時（最下部）の位置に二つの入光部４２、４３を、２時の位置に入光部４４を、それぞれ備えている。この入光部４２、４３、４４は、外周３１ａから外方に隆起させた凸部４２ａ、４３ａ、４４ａの中央に中心Ｏ側に半球形に凹んだ光源収容部４２ｂ、４３ｂ、４４ｂをそれぞれ備えたものである。この光源収容部４２ｂ、４３ｂ、４４ｂには、光源としてのＬＥＤ（発光ダイオード）５２（第１光源）、ＬＥＤ５３（第１光源）、ＬＥＤ５４（第２光源）の先端がそれぞれ近接配置される。文字板３０は、外周３１ａから中心Ｏ側へ所定距離離れた位置にフロントケース１１の先端部１１ａを押し当てた状態でフロントケース１１内に配置される。よって、図３に示すように、入光部４２、４３、４４はフロントケース１１の先端部１１ａよりも外側に配置され、入光部４２、４３、４４及びその内部に配置されるＬＥＤ５２、５３、５４は置時計１０の前面側からは視認することができないようになっている。このため、ＬＥＤ５２、５３、５４付近の強い出射光を隠すことができる。なお、ＬＥＤ５２、５３、５４は同一形状、同一性能を有するものであるが、異なる形状、異なる性能を有するものを用いることもできる。
【００２２】
図１〜図４に示すように、文字板３０の前面（表面）３４には、内方に凹んだ略矩形の表示枠部３７が文字板３０の成型時に同時に形成されている。この表示枠部３７は、文字板３０をフロントケース１１内に配置したときに、液晶表示部２３に対応する位置（文字板３０の中心Ｏと最下部（６時の位置）との間の位置）にくるように配置されている（図２参照）。ここで、表示枠部３７の形状は、液晶表示部２３の形状に合わせて自由に変更することができ、また、デザイン上、設計上の理由から液晶表示部２３と対応しない形状とすることもできる。
【００２３】
ＬＥＤ５２、５３、５４は、それぞれ、本体部３１の中心Ｏに向けて光源収容部４２ｂ、光源収容部４３ｂ、光源収容部４４ｂ内に配置される。特に、ＬＥＤ５２、５３は、指針軸２１について対称な位置に設けられているため、同時に照明光を出射すると、指針軸２１の周囲に現れる影を減少させることができる。
【００２４】
図４に示すように、表示枠部３７は、ＬＥＤ５３に近い側の底面３７ａにおいて、前面３４から背面３６に向かうにつれて上面３７ｂ側へ向かうような所定の曲率半径Ｒを有する湾曲形状を備えている。このような形状の底面３７ａに向けてＬＥＤ５３から照明光を出射すると、反射光は底面３７ａの曲率半径Ｒに応じた反射角度によりその進行方向が適度に分散して液晶表示部２３に照射される。このため、液晶表示部２３用の光源を設けることなく液晶表示部２３の視認性を向上させることができる。湾曲形状で屈折して外部に漏れた光で底面３７ａを強く発光させる。液晶表示部２３の発光および照明することにより、日中であっても液晶表示部２３を目立たせて表示内容を容易に確認することができる。なお、入光部４３及びＬＥＤ５３は、４時から８時の間に配置されていれば同様の作用効果を得ることができる。さらに、上記湾曲形状の替えて、傾斜部を設けることで同様の効果が確認できる。
【００２５】
これに対して、ＬＥＤ５２、５４から出射した光は、ＬＥＤ５３から出射された光のように底面３７ａ下側から表示枠部３７に入射するものではない。このため、底面３７ａで反射した光が液晶表示部２３を発光または照明することはほとんどない。入光部４２及びＬＥＤ５２の位置は上述の１２時の位置に限られず、文字板３０の中心Ｏについて、入光部４３及びＬＥＤ５３と対称な位置であって、１２時から４時又は８時から１２時の間に配置することができる。入光部４４及びＬＥＤ５４の位置は上述の２時の位置に限られず、１２時から４時又は８時から１２時の間に配置することができる。しかし、文字板の照明が夜間に時刻を確認することを目的とすれば、文字板上の夜間の時刻を照明する位置に配置することは必然である。
【００２６】
なお、底面３７ａに微細な凹部（又は凸部）を形成することによりＬＥＤ５３から照射される光を乱反射させると、液晶表示部２３へ照射させる光がより均一となるためさらに視認性を向上させることができるため好ましい。底面３７ａへの凹部（凸部）の形成は、文字板３０の成形型の成型面に凸部（凹部）を形成しておき、これを用いて文字板３０の成形と同時に行うことができる。
【００２７】
つづいて、図５を参照しつつ、置時計１０の回路構成について説明する。この回路においては、制御回路７５に、現在時刻計時回路６１、モード指定スイッチ６２、入力部６３、アラーム時刻記憶回路６４、一致検出回路６５、アナログ時刻表示部６６、デジタル時刻表示部６７、報音部６８、スヌーズスイッチ２４、アラームセットスイッチ２５、発光部駆動回路７４が接続されている。制御回路７５は、ＣＰＵ、ＲＯＭ、ＲＡＭを有し、置時計１０の各種動作を制御する。
【００２８】
現在時刻計時回路６１は、水晶発振器、分周器を有し、現在時刻およびカレンダ情報を計時する。モード指定スイッチ６２は、モード（例えば、現在時刻セットモード、アラーム時刻セットモードおよびカレンダセットモード）を指定するものである。入力部６３は、アップダウンスイッチを備え、モード指定スイッチ６２で指定しているモードで操作することにより、現在時刻およびアラーム時刻の設定を行なうことができる。
【００２９】
設定された現在時刻及びアラーム時刻は、モード指定スイッチ６２を押すことによって液晶表示部２３を備えたデジタル時刻表示部６７に順次切り替えて表示される。ここで、デジタル時刻表示部６７は、現在時刻及びアラーム時刻のほか、モード指定スイッチ６２で指定された各モードの設定情報も表示することができる。
【００３０】
アナログ時刻表示部６６の時刻の設定はムーブメント２０に備えられた調整つまみ（不図示）によって行う。ここで、アナログ時刻表示部６６は上述のムーブメント２０、指針軸２１及び指針２２を有している。このように時刻が設定されたアナログ時刻表示部６６およびデジタル時刻表示部６７は、その後現在時刻計時回路６１で計時する現在時刻を表示する。
【００３１】
入力部６３により設定されたアラーム時刻は、記憶媒体として例えばＲＡＭを備えるアラーム時刻記憶回路６４に記憶される。記憶されたアラーム時刻情報は、一致検出回路６５において、現在時刻計時回路６１で計時する現在時刻情報と比較され、これらの情報の一致が検出されると一致検出回路６５は制御回路７５へ一致信号を出力する。
【００３２】
報音部６８は、発音回路６９、アンプ７０、スピーカ７１を有する。アラームセットスイッチ２５がオン状態の場合において、一致検出回路６５から一致信号が出力されると、発音回路６９が動作してアラーム音信号が出力され、このアラーム音信号はアンプ７０で増幅されてスピーカ７１からアラーム音が発音される。発音回路６９から出力されるアラーム音信号は、アラームセットスイッチ２５がオフ状態とされるまで、または、スヌーズスイッチ２４がオン状態にされるまで、所定時間（例えば５分間）の間だけ出力され続ける。ここで、アラームセットスイッチ２５がオン状態のままでスヌーズスイッチ２４がオン状態とされたときは、アラーム音信号の出力はいったん停止するが、所定時間（例えば５分間）経過後に再び出力され、アラームセットスイッチ２５がオン状態である限り所定回数（例えば３回）だけこの動作を繰り返す。
【００３３】
また、スヌーズスイッチ２４をオン状態とすると制御回路７５は発光部駆動回路７４に対して制御信号を送る。この制御信号は、アラームセットスイッチ２５の状態を検出した制御回路７５がアラームセットスイッチ２５の状態に応じた信号として出力するものである。すなわち、アラームセットスイッチ２５がオン状態の場合には、ＬＥＤ５２、５３を発光させるための制御信号が出力され、アラームセットスイッチ２５がオフ状態の場合には、ＬＥＤ５４を発光させるための制御信号が発光部駆動回路７４に出力される。発光部駆動回路７４はこれらの信号を受けて、ＬＥＤ５２、５３又はＬＥＤ５４に駆動信号を出力する。駆動信号を受けたＬＥＤ５２、５３、５４はそれぞれ文字板３０の中心Ｏに向けて照明光を出射する。
【００３４】
次に、置時計１０における文字板３０の照明動作について図６を参照しつつ説明する。
【００３５】
使用者によってスヌーズスイッチ２４が押されてオン状態となると（ステップＳ１１でＹＥＳ）、制御回路７５はアラームセットスイッチ２５の状態を検出する（ステップＳ１２）。アラームセットスイッチ２５がオン状態であれば（ステップＳ１２でＹＥＳ）、制御回路７５は、発光部駆動回路７４に対してＬＥＤ５２、５３を点灯するように制御信号を出力し、発光部駆動回路７４はこれを受けてＬＥＤ５２、５３に駆動信号を出力して、ＬＥＤ５２、５３が点灯する（ステップＳ１４）。一方、アラームセットスイッチ２５がオフ状態であるときは（ステップＳ１２でＮＯ）、制御回路７５は、発光部駆動回路７４に対してＬＥＤ５４を点灯するように制御信号を出力し、発光部駆動回路７４はこれを受けてＬＥＤ５４に駆動信号を出力して、ＬＥＤ５４が点灯する（ステップＳ１３）。アラームスイッチ２４が押されずにオフ状態の場合（ステップＳ１１でＮＯ）、及び、ＬＥＤ５２、５３又はＬＥＤ５４の点灯後にスヌーズスイッチ２４をオフ状態にした場合、照明動作はいったん終了し、初期状態（ステップＳ１０）にもどる（ステップＳ１５）。
【００３６】
このように、アラームセットスイッチ２５がオン状態の場合にスヌーズスイッチ２４をオン状態とすると、文字板３０を照明するための光を利用して液晶表示部２３が発光し照明されるため、アラームがセットされたことを容易に確認することができるとともに、アラーム設定時刻を容易に読み取ることができる。また、アラームセットスイッチ２５がオン状態の場合にスヌーズスイッチ２４をオン状態とすると二つのＬＥＤ５２、５３が点灯し、アラームセットスイッチ２５がオフ状態の場合には１個のＬＥＤ５４のみが点灯するため、アラームセットスイッチ２５の状態によって照明光の光量が異なるため、アラームがセットされたか否かを容易に判別することができる。さらに、アラームセットスイッチ２５がオン状態の場合は指針２２で示す時刻を容易に読み取ることができる。また、液晶表示部専用の光源が不要であるため、部品点数を少なくし、コストを低減することができる。さらに、スヌーズスイッチ２４をオン状態とすることによって液晶表示部２３を照明することができるため、日中であっても液晶表示部２３の表示を容易に確認することができる。
【００３７】
本発明について上記実施形態を参照しつつ説明したが、本発明は上記実施形態に限定されるものではなく、改良の目的または本発明の思想の範囲内において改良または変更が可能である。本発明では、文字板を円盤形状としたが、方形や多角形の文字板のアラーム時計も製品として存在する。液晶表示部２３の位置も指針軸から垂直に下りた位置としたが、デザインにより文字板上の何れの位置にも配置可能である。表示枠部３７の底面部３７ａをＲ形状としたが、傾斜面とすることも可能である。このＲ形状あるいは傾斜面により反射光で液晶表示部を照明できると共に、外部に透過した光が発光して視線を集める。
【図面の簡単な説明】
【００３８】
【図１】本発明の実施形態に係る置時計の内部構成を示す一部断面図である。
【図２】本発明の実施形態に係る置時計内における文字板、ＬＥＤ及び液晶表示部の配置を示す平面図である。
【図３】本発明の実施形態に係る文字板を配置した状態の置時計の構成を示す正面図である。
【図４】本発明の実施形態に係る文字板に設けた表示枠部の底面に照明光を照射したときの反射光の進行方向を示す図である。
【図５】本発明の実施形態に係る置時計の回路の接続関係を示すブロック図である。
【図６】本発明の実施形態に係る照明動作の流れを示すフローチャートである。
【符号の説明】
【００３９】
１０    置時計
２０    ムーブメント
２１    指針軸
２２    指針
２３    液晶表示部
２４    スヌーズスイッチ
２５    アラームセットスイッチ
３０    文字板
３４    前面（表面）
３６    背面
３７    表示枠部
３７ａ  底面
４２    入光部
４３    入光部
４４    入光部
５２    ＬＥＤ（第１光源）
５３    ＬＥＤ（第１光源）
５４    ＬＥＤ（第２光源）
６６    アナログ時刻表示部
６７    デジタル時刻表示部
【図１】
2005091102.tif 000003
【図２】
2005091102.tif 000004
【図３】
2005091102.tif 000005
【図４】
2005091102.tif 000006
【図５】
2005091102.tif 000007
【図６】
2005091102.tif 000008